(57)【特許請求の範囲】
【請求項１】
顧客から送信される印刷仕様、納入場所の情報を含む印刷指示データから、各帳票の識別情報、納入場所の情報を含む仕分情報を作成して該仕分情報を示す仕分用光学コードのデータを生成し、該データと前記印刷指示データとから各帳票の先頭頁に仕分用光学コードを印刷するための印刷データを作成し、該印刷データをプリンタに送信する印刷制御手段と、
該印刷制御手段から印刷データを受信し、該印刷データに基づいて帳票を印刷するプリンタと、
前記印刷制御手段から、各帳票の識別情報、納入場所の情報を含むデータを受信して、一度に納入する全ての帳票の識別情報、納入場所の情報を含む納入明細データを作成する納入明細データ作成手段と、
各納入場所に対応して区画された複数の仕分場所を備え、かつ各仕分場所に固有の仕分場所識別用光学コードが付された仕分用区画具と、
光学コード読取部と表示画面とを有し、印刷済帳票の仕分用光学コードを読み取ると、当該帳票を仕分けるべき仕分場所を表示画面に表示し、その後に、仕分場所識別用光学コードを読み取ると、先に表示した仕分場所と同じであるかを判定し、当該帳票を仕分済みであるという仕分実績データを記憶する仕分用携帯端末と、
一度に納入する帳票を仕分けした後の仕分用携帯端末から仕分実績データを受信して、納入明細データとを対比する仕分確認手段と、
納入場所を備え、かつ各納入場所に固有の納入場所識別用光学コードが付された、納入先に配設される納入用具と、
光学コード読取部と表示画面とを有し、帳票の仕分用光学コードを読み取ると、当該帳票を納入すべき納入場所を表示画面に表示し、その後に、納入場所識別用光学コードを読み取ると、先に表示した納入場所と同じであるかを判定し、当該納入場所へ帳票を納入済みであるという納入実績データを記憶する納入用携帯端末と、
一度に納入する帳票を納入した後の納入用携帯端末から納入実績データを受信して、納入明細データと対比する納入確認手段と
を備える帳票受注納入システム。
【請求項２】
前記納入用携帯端末は、予め記憶された納入すべき納入場所の一覧データと、納入実績データとに基づいて、未納入の納入場所の数を表示画面に表示するものであることを特徴とする請求項１記載の帳票受注納入システム。
【発明の詳細な説明】
【技術分野】
【０００１】
本発明は、顧客から送信されたデータに基づいて帳票を印刷し、印刷した帳票を納入場所ごとに仕分けして納入する帳票受注納入システムに関する。
【背景技術】
【０００２】
顧客から発注された帳票を印刷し、印刷した帳票を納入場所ごとに仕分けして納入する帳票受注納入システムは広く知られている。かかる帳票受注納入システムは、顧客から多量の帳票作成を一括して受注するのではなく、通信ネットワークを介して顧客側の端末から比較的少量の帳票作成を一日に多数受注するのが一般的である。また、かかるシステムでは、受注から納入までを短期間で行うことが求められており、受注すると速やかに帳票を印刷し、１日に複数回の納入を行うようにしている。
【０００３】
一方、特許文献１には、受注した商品を納入する際の現物チェックを、配送ラベル（シールやタグを含む）を用いて迅速化、効率化する納品チェック処理のシステムが開示されている。
【特許文献１】特開２００４−２６２５８７号公報
【発明の開示】
【発明が解決しようとする課題】
【０００４】
上記従来の帳票受注納入システムでは、受注した帳票を数十箇所の納入場所（顧客の部署別ポスト等）に納入することとなるため、印刷した帳票を、納入元で予め納入場所別に仕分けした後に納入先に配送し、各納入場所に納入するようにしている。しかしながら、従来のシステムでは、帳票を仕分・納入する場所を作業者の目視確認によってのみ確認しているため、仕分場所や納入場所の取り違えが多く、作業漏れも発生している。
【０００５】
この問題に対して、上記特許文献１のように、製品夫々に配送ラベルを付して納品明細リストと照合するシステムを採用することも考えられるが、帳票受注納入システムでは、一度に納入する帳票の納入明細リストを生成する前に当該帳票の仕分を開始するため、仕分作業時に納入明細リストと対比することができず、仕分作業の正確さを保証できない。また、帳票受注納入システムにおける製品は単価の低い帳票であるため、各帳票に対して一枚の配送ラベルを付すとコスト高となる。
【０００６】
本発明は、かかる現状に鑑みてなされたものであり、従来システムよりも仕分作業・納入作業において作業ミス、作業漏れが発生し難い帳票受注納入システムの提供を目的とする。
【課題を解決するための手段】
【０００７】
本発明は、顧客から送信される印刷仕様、納入場所の情報を含む印刷指示データから、各帳票の識別情報、納入場所の情報を含む仕分情報を作成して該仕分情報を示す仕分用光学コードのデータを生成し、該データと前記印刷指示データとから各帳票の先頭頁に仕分用光学コードを印刷するための印刷データを作成し、該印刷データをプリンタに送信する印刷制御手段と、該印刷制御手段から印刷データを受信し、該印刷データに基づいて帳票を印刷するプリンタと、前記印刷制御手段から、各帳票の識別情報、納入場所の情報を含むデータを受信して、一度に納入する全ての帳票の識別情報、納入場所の情報を含む納入明細データを作成する納入明細データ作成手段と、各納入場所に対応して区画された複数の仕分場所を備え、かつ各仕分場所に固有の仕分場所識別用光学コードが付された仕分用区画具と、光学コード読取部と表示画面とを有し、印刷済帳票の仕分用光学コードを読み取ると、当該帳票を仕分けるべき仕分場所を表示画面に表示し、その後に、仕分場所識別用光学コードを読み取ると、先に表示した仕分場所と同じであるかを判定し、当該帳票を仕分済みであるという仕分実績データを記憶する仕分用携帯端末と、一度に納入する帳票を仕分けした後の仕分用携帯端末から仕分実績データを受信して、納入明細データとを対比する仕分確認手段と、納入場所を備え、かつ各納入場所に固有の納入場所識別用光学コードが付された、納入先に配設される納入用具と、光学コード読取部と表示画面とを有し、帳票の仕分用光学コードを読み取ると、当該帳票を納入すべき納入場所を表示画面に表示し、その後に、納入場所識別用光学コードを読み取ると、先に表示した納入場所と同じであるかを判定し、当該納入場所へ帳票を納入済みであるという納入実績データを記憶する納入用携帯端末と、一度に納入する帳票を納入した後の納入用携帯端末から納入実績データを受信して、納入明細データと対比する納入確認手段とを備える帳票受注納入システムである。
【０００８】
本発明において、「一度に納入する帳票」とは、同一の配送便等で、納入先に略同時に納入する帳票を指す。また、本発明において、仕分用光学コード等の光学コードは、バーコードや二次元コードなど、帳票に印刷可能で光学読取り可能なものであれば特に限定されない。
【０００９】
本発明の帳票受注納入システムによれば、以下のステップを含む帳票受注納入システムが実現される。すなわち、顧客から印刷仕様、納入場所の情報を含む印刷指示データを受信するステップと、受信した印刷指示データから各帳票の識別情報、納入場所の情報を含む仕分情報を作成して該仕分情報を示す仕分用光学コードのデータを生成するステップと、該仕分用光学コードのデータと前記印刷指示データとから帳票の先頭頁に仕分用光学コードが印刷されることとなる各帳票を印刷するための印刷データを作成し、該印刷データをプリンタに送信するステップと、プリンタが、前記印刷データに基づいて帳票を印刷するステップと、前記印刷制御手段から、各帳票の識別情報、納入場所の情報を含むデータを受信して、一度に納入する全ての帳票の識別情報、納入場所の情報を含む納入明細データを作成するステップと、仕分用携帯端末が、印刷済帳票の仕分用光学コードを読み取り、当該帳票を仕分けるべき仕分場所を表示画面に表示し、その後に、仕分場所に付された仕分場所識別用光学コードを読取り、先に表示した仕分場所と同じであるかを判定し、当該帳票を仕分済みであるという仕分実績データを記憶するステップと、一度に納入する帳票を仕分けた後に、仕分用携帯端末から仕分実績データを受信して、納入明細データとを対比するステップと、納入先で、納入用携帯端末が、納入場所ごとに仕分済帳票の仕分用光学コードを読み取り、当該仕分済帳票を納入すべき納入場所を表示画面に表示し、その後に、納入場所に付された納入場所識別用光学コードを読取り、先に表示した納入場所と同じであるかを判定し、当該帳票を納入済みであるという納入実績データを記憶するステップと、一度に納入する帳票を納入した後に、前記納入用携帯端末から納入実績データを受信して、納入明細データとを対比するステップとからなる帳票受注納入方法である。
【００１０】
かかるシステムにあっては、仕分作業・納入作業において、仕分場所や納入場所が正しいことを、携帯端末による光学コードの読取り、比較によって保証できるため、目視確認のみに頼る従来システムよりも場所の取り違えミスが少なくなる。
【００１１】
また、本発明では、一度に納入する帳票を仕分・納入した後に、携帯端末の実績データと納入明細データとを対比することにより、仕分作業・納入作業において作業漏れがないかを確認できるため、より高い品質を保証できる。上述のように、帳票受注納入システムでは、帳票の納入明細データを生成する前に当該帳票の仕分作業を開始するため、仕分作業中に帳票と納入明細データを対比することはできないが、本発明のように、仕分作業中に仕分用携帯端末に仕分実績データを記憶して、仕分作業後に該仕分実績データと納入明細データとを対比するようにすれば、該帳票の配送前に帳票の仕分漏れをチェックすることが可能となる。
【００１２】
このように、本発明によれば、仕分作業・納入作業において、帳票に印刷された仕分用光学コードを携帯端末で読み取ることによって、仕分場所や納入場所が正しいかどうかをチェックできる。また、各作業後に携帯端末に記憶された実績データを納入明細データと比較することによって仕分作業・納入作業に作業漏れがないことを確認できる。したがって、本発明の帳票受注納入システムによれば、仕分作業・納入作業において作業ミスや作業漏れが極めて少ないものとなる。
【００１３】
また、本発明にあっては、帳票の識別情報及び納入場所の情報を含む仕分情報を、光学コードとして直接帳票に印字するため、製品にラベルやタグを付す必要がなく、低コストで実現できるという利点もある。
【００１４】
また、本発明の帳票受注納入システムにおいて、前記納入用携帯端末は、予め記憶された納入すべき納入場所の一覧データと、納入実績データとに基づいて、未納入の納入場所の数を表示画面に表示するものであることが提案される。かかる構成によれば、納入作業時に未納入の納入場所が何箇所残っているかをその場で確認できるため、納入元に戻る前に納入漏れを発見し、その場で問題を迅速に解決できる。
【発明の効果】
【００１５】
以上に述べたように、本発明の帳票受注納入システムは、従来システムに比べ、仕分作業・納入作業時の作業ミス、作業漏れが少なく、且つ、低廉に導入できるという利点がある。したがって、本発明によれば、従来よりも高品質の帳票受注納入サービスを顧客に低廉に提供できる。
【発明を実施するための最良の形態】
【００１６】
本発明の実施形態を、以下の実施例に従って説明する。
なお、以下の実施例では、本発明に係る印刷制御手段はプリントサーバ６によって実現される。また、本発明に係る納入明細データ作成手段、仕分確認手段、および納入確認手段は実績管理サーバ８によって実現される。
【００１７】
図１は、実施例に係る帳票受注納入システムの概略図である。この帳票受注納入システムは、帳票の納入元（作成元）１に設置された、プリントサーバ６、プリンタ７、実績管理サーバ８、および仕分用区画具１０と、顧客の事業所や工場等の納入先（発注元）２に設置された納入用具１１と、仕分作業に用いられる仕分用携帯端末１２と、納入作業に用いられる納入用携帯端末１３とを備えてなる。
【００１８】
プリントサーバ６は、納入先２に設置された顧客の端末１５とインターネットや専用通信回線等の通信回線を介して接続されており、また、納入元１のＬＡＮを介してプリンタ７及び実績管理サーバ８と接続されている。かかるプリントサーバ６は、印刷指示データ受信処理、および印刷データ作成送信処理の二つの処理を並行して実行する。
【００１９】
印刷指示データ受信処理は、印刷指示データを受信するための処理であり、顧客側の端末１５から印刷指示データが送信されたかを常時チェックし、印刷指示データが送信された場合には、該データを記憶装置に記憶保持する。印刷指示データには、印刷する帳票の画像データ、印刷する用紙の種類、印刷部数等の帳票の印刷仕様に関する情報や、顧客の部署コード等の納入場所に関する情報が含まれている。すなわち、顧客にとってはかかる印刷指示データの送信が実質的な発注であり、帳票の納入元１にとっては印刷指示データの受信が実質的な受注となる。
【００２０】
前記印刷データ作成送信処理は、プリンタ出力用印刷データを作成する処理である。かかる印刷データ作成送信処理では、受信した印刷指示データから納入場所の情報を抽出して、各帳票の識別ＩＤ、納入場所を含む仕分情報を作成し、該仕分情報を示す仕分用バーコード（仕分用光学コード）２９の画像データを生成する。帳票の識別ＩＤは、印刷指示データに含まれる帳票識別情報を用いてもよいし、別途の識別ＩＤを作成するようにしてもよい。仕分用バーコード２９の画像データを生成すると、該画像データと、印刷指示データに含まれる帳票の画像データとを結合し、帳票の先頭頁に仕分用バーコード２９が印刷されることとなる印刷データを作成する。そして、該印刷データをプリンタ７へ送信するとともに、該印刷データに係る帳票の識別ＩＤと納入場所の情報を含む受信実績データを作成し、該受信実績データを実績管理サーバ８へ送信する。
【００２１】
プリンタ７は、帳票印刷に用いられる既存の業務用プリンタであり、プリントサーバ６から送信される前記印刷データに従って用紙を選択し、先頭頁に仕分用バーコード２９が付された帳票２７を印刷する。このプリンタ７は原則として、印刷データを受信した順に帳票を印刷するため、帳票２７は納入場所ごとに仕分けされていない状態で印刷される。
【００２２】
仕分用区画具１０は、帳票を収容可能な収納部が縦横に区画された棚であり、各収納部の一つ一つが帳票の各納入場所２０に対応した仕分場所１７となっている。仕分場所１７は納入場所２０の数に対応した数が用意されており、各仕分場所１７には予め割り当てられた固有の識別番号と、該識別番号を示す仕分場所識別用バーコード（仕分場所識別用光学コード）１８が付されている。
【００２３】
納入用具１１は、仕分用区画具１０と同様の構成を有する棚であり、各収納部の一つ一つが印刷指示データで指定される納入場所２０となっている。各納入場所２０には予め割り当てられた固有の識別番号と、該識別番号を示す納入場所識別用バーコード（納入場所識別用光学コード）２１が付されている。この納入用具１１は、納入先２で一箇所に設置する必要はなく、例えば、納入先２の各フロアに納入用具１１を配設するようにしてもよい。
【００２４】
仕分用携帯端末１２は、バーコード読取装置と、液晶画面等の表示画面と、マイクロコンピュータと、データ入出力装置等を備えて成るものであり、既存の携帯端末によって構成し得る。この仕分用携帯端末１２には、仕分場所の確認等を行う仕分処理、および仕分実績データの送信を行うデータ送信処理を実行するためのプログラムが記憶されている。
【００２５】
仕分処理は、帳票の仕分場所の報知、仕分場所の確認、および仕分実績データの記憶を行うものであり、仕分作業の際に実行される。仕分処理の初期状態では、仕分用携帯端末１２は仕分用バーコード２９を読み取る帳票読取状態にある（図２（ａ）参照）。かかる状態で印刷済帳票２７の仕分用バーコード２９を読み取ると、仕分用携帯端末１２は、当該仕分用バーコード２９に示された仕分情報を記憶するとともに、該仕分情報に基づいて、該帳票２７の帳票ＩＤと、該帳票２７を仕分けるべき仕分場所１７の識別番号とを表示画面に表示し（図２（ｂ）参照）、仕分場所１７の仕分場所識別用バーコード１８を読み取る仕分場所読取状態に移行する。そして、仕分場所読取状態で、仕分場所識別用バーコード１８を読み取ると、仕分用携帯端末１２は、該バーコード１８の示す仕分場所１７の識別番号と、表示画面に表示した仕分場所１７の識別番号とが一致するか否かを判定する。そして、両者が一致していると判定した場合には、先に読み取った仕分用バーコード２９の仕分情報に現在時刻を付加した情報を仕分実績データとして記憶し、確認画面（図２（ｃ）参照）を表示した後に、帳票読取状態に移行する。一方、両者が一致していないと判定した場合には、仕分用携帯端末１２は表示画面にエラー画面（図２（ｄ）参照）を表示するとともに、警告音を発し、仕分場所読取状態に復帰する。
【００２６】
実績データ送信処理は、上記仕分処理で記憶された仕分実績データの一覧を送信するための処理であり、同一配送便の帳票の仕分作業を終了した後に実行される。実績データ送信処理では、仕分用携帯端末１２はケーブル等を介して接続された実績管理サーバ８に記憶された仕分実績データを全て送信し、該データを端末から削除する処理を実行する。
【００２７】
納入用携帯端末１３は、仕分用携帯端末１２と内部プログラムのみ異なるものであり、バーコード読取装置と、液晶画面等の表示画面と、マイクロコンピュータと、データ入出力装置等を備えて成る。この納入用携帯端末１３には、納入場所の一覧データを取り込むデータ取込処理、納入場所の確認等を行う納入処理、および納入実績データの送信を行うデータ送信処理を実行するためのプログラムが記憶されている。
【００２８】
データ取込処理は、帳票の配送前に、当該配送便で帳票を納入すべき納入場所の一覧を実績管理サーバ８から受信して記憶保持する処理である。
【００２９】
納入処理は、帳票の納入場所の報知、納入場所の確認、納入実績データの記憶、及び、未納入の納入場所の数の報知を行うものであり、納入先２での納入作業の際に実行される。納入処理の初期状態では、納入用携帯端末１３は仕分用バーコード２９を読み取る帳票読取状態にある（図３（ａ）参照）。かかる状態で帳票２８の仕分用バーコード２９を読み取ると、納入用携帯端末１３は、当該仕分用バーコード２９の仕分情報を記憶するとともに、該仕分情報に含まれる納入場所２０の情報に基づいて、該帳票を納入すべき納入場所２０の識別番号を表示画面に表示し（図３（ｂ）参照）、納入場所２０の納入場所識別用バーコード２１を読み取る納入場所読取状態に移行する。そして、納入場所読取状態で、納入場所識別用バーコード２１を読み取ると、納入用携帯端末１３は、該バーコード２１の示す納入場所２０の識別番号と、表示画面に表示した納入場所２０の識別番号とが一致するか否かを判定する。そして、両者が一致していると判定した場合には、当該納入場所の識別番号に納入済みフラグを付加した情報を納入実績データとして記憶し、確認画面（図３（ｃ）参照）を表示した後に、帳票読取状態に移行する。一方、両者が一致していないと判定した場合には、表示画面にエラー画面（図３（ｄ）参照）を表示するとともに、警告音を発し、納入場所読取状態に復帰する。また、かかる納入処理中は、納入場所の一覧データと納入実績データとに基づいて、当該配送便で納入すべき納入場所のうち、まだ帳票２８を納入していない未納入の納入場所の数が算出され、表示画面に常時表示される（図３参照）。
【００３０】
実績データ送信処理は、上記納入処理で記憶された納入実績データの一覧を送信するための処理であり、同一配送便の帳票の納入作業を終了した後に実行される。実績データ送信処理では、納入用携帯端末１３はケーブル等を介して接続された実績管理サーバ８に記憶された納入実績データを全て送信し、該データを端末から削除する処理を実行する。
【００３１】
実績管理サーバ８は、納入元１のＬＡＮを介してプリントサーバ６と接続されており、該プリントサーバ６から受信実績データを受信して記憶する。ここで、本実施例の帳票受注納入システムでは、データ締め時刻が一日に数回設定されており、前のデータ締め時刻から次のデータ締め時刻までに受信した印刷指示データに係る帳票を同一配送便で配送し、納入するようになっている。実績管理サーバ８は、データ締め時刻になる度に、前回のデータ締め時刻からそれまでに受信した受信実績データから、同一の配送便で納入する全ての帳票の識別ＩＤ、納入場所の情報を含む納入明細データを作成し、記憶する。
【００３２】
また、実績管理サーバ８は、随時仕分用携帯端末１２及び納入用携帯端末１３と接続され、各携帯端末１２，１３から仕分用実績データや納入用実績データを受信する。そして、実績管理サーバ８は、仕分実績データを受信すると、該データを同一配送便の納入明細データと対比して、仕分実績データの帳票と納入明細データの帳票とが一致しているかを判定し、両者が一致していないと判定した場合にはエラー報知を行う。同様に、実績管理サーバ８は、納入実績データを受信すると、該データを同一配送便の納入明細データと対比して、納入実績データの納入場所と納入明細データの納入場所とが一致しているかを判定し、両者が一致していないと判定した場合には、エラー報知を行う。また、実績管理サーバ８は、納入実績データに基づいて、当該配送便で帳票を納入すべき納入場所の一覧を作成し、納入用携帯端末１３に送信する。さらに、実績管理サーバ８は、各配送便の納入明細データから、日次・月次の納入実績を作成して出力する。
【００３３】
上記本実施例の帳票受注納入システムによれば、以下のステップ（１）〜（１８）を含む帳票受注納入方法が実行される。
【００３４】
＜ステップ（１）＞
プリントサーバ６が、通信回線３を介して納入先２の端末１５から印刷指示データを受信し、該印刷指示データを記憶する。
【００３５】
＜ステップ（２）＞
プリントサーバ６が、受信した印刷指示データから仕分用バーコード２９のデータを生成する。
【００３６】
＜ステップ（３）＞
プリントサーバ６が、仕分用バーコード２９のデータと印刷指示データとからプリンタ出力用の印刷データを作成し、該印刷データをプリンタ７に送信するとともに、受信実績データを実績管理サーバ８に送信する。
【００３７】
＜ステップ（４）＞
プリンタ７が、受信した印刷データに基づいて帳票２７を印刷する。
【００３８】
＜ステップ（５）＞
実績管理サーバ８が、データ締め時刻に、前回のデータ締め時刻からその時点までに受信した受信実績データから、同一の配送便で納入する帳票に係る納入明細データを作成する。
【００３９】
＜ステップ（６）＞
作業者が、仕分用携帯端末１２に印刷済帳票２７の仕分用バーコード２９を読み取らせる。そして、仕分用携帯端末１２が当該帳票２７を仕分けるべき仕分場所１７の識別番号を表示画面に表示する。
【００４０】
＜ステップ（７）＞
作業者が、仕分用携帯端末１２に表示された識別番号の仕分場所１７に帳票２７を仕分けする。
【００４１】
＜ステップ（８）＞
作業者が、帳票２７を仕分けした仕分場所１７の仕分場所識別用バーコード１８を仕分用携帯端末１２に読み取らせる。そして、仕分用携帯端末１２が、先に表示した仕分場所１７と同じであるかを判定し、同じであると判定した場合は、当該帳票２７を仕分済みであるという仕分実績データを記憶する。
【００４２】
＜ステップ（９）＞
ステップ（６）〜（８）を繰り返して、同一配送便で納入する帳票２７の仕分作業を終了した後に、仕分用携帯端末１２を実績管理サーバ８に接続し、仕分用携帯端末１２から実績管理サーバ８に仕分実績データを送信する。
【００４３】
＜ステップ（１０）＞
実績管理サーバ８が、同一便に係る帳票の仕分実績データと納入明細データとを対比して、納入明細データの各帳票の識別ＩＤと、仕分実績データの各帳票の識別ＩＤが一致するか否かを判定し、両者が一致していないと判定した場合には、エラー報知を行う。
【００４４】
＜ステップ（１１）＞
実績管理サーバ８が、納入明細データから、当該配送便で仕分済帳票２８を納入する納入場所２０の一覧データを作成する。そして、仕分済帳票２８の配送前に、納入用携帯端末１３を実績管理サーバ８に接続し、実績管理サーバ８から納入用携帯端末１３へ当該一覧データを送信する。
【００４５】
＜ステップ（１２）＞
ステップ（１０）においてエラー報知されなかった場合、作業者が、仕分場所１７の仕分済帳票２８を配送車両に積み込み、納入先２へ配送する。仕分用区画具１０が空になると、次の配送便に係る印刷済帳票２７の仕分作業が開始される（ステップ（６）〜（８））。
【００４６】
＜ステップ（１３）＞
納入先２で、作業者が、納入用携帯端末１３に仕分済帳票２８の仕分用バーコード２９を読み取らせる。そして、納入用携帯端末１３が当該帳票２８を仕分けるべき納入場所２０を表示画面に表示する。なお、仕分けされて束になった仕分済帳票２８の正常性は仕分け時で保証されているため、かかるステップでは、仕分済帳票２８の先頭の仕分用バーコード２９のみを読み取る。
【００４７】
＜ステップ（１４）＞
納入先２で、作業者が、納入用携帯端末１３に表示された納入場所２０に仕分済帳票２８を納入する。
【００４８】
＜ステップ（１５）＞
納入先２で、作業者が、帳票２８を仕分けした納入場所２０の納入場所識別用バーコード２１を納入用携帯端末１３に読み取らせる。そして、納入用携帯端末１３が先に表示した納入場所２０と同じであるかを判定し、同じであると判定した場合は、当該納入場所２０に帳票２８を納入済みであるという納入実績データを記憶する。
【００４９】
＜ステップ（１６）＞
ステップ（１３）〜（１５）を繰り返して、同一配送便で納入する帳票２８を全て納入した後に、納入先２で、作業者が、納入用携帯端末１３に表示されている、未納入の納入場所の数を確認し、該未納入の納入場所が０であることを確認する。
【００５０】
＜ステップ（１７）＞
同一配送便で納入する帳票２８を全て納入した後に、納入元１で納入用携帯端末１３を実績管理サーバ８に接続し、納入用携帯端末１３から実績管理サーバ８に納入実績データを送信する。
【００５１】
＜ステップ（１８）＞
実績管理サーバ８が、同一便に係る帳票の納入実績データと納入明細データとを対比する。ここで、納入明細データの各帳票の納入場所と、納入実績データの納入済み納入場所が一致しない場合は、実績管理サーバ８がエラー報知を行う。
【００５２】
以上のように、本実施例の帳票受注納入システムでは、仕分作業及び納入作業の際に、帳票を仕分・納入する場所が正しいか否かを、携帯端末にバーコードを読み取らせることによって確認できる。このため、本システムは、帳票を仕分・納入する場所を目視確認のみによって行う従来システムよりも帳票の取り違えが少ない。
【００５３】
また、本帳票受注納入システムでは、同一便で納入する帳票を仕分・納入した後に、携帯端末１２，１３の実績データと納入明細データとを対比することにより、仕分作業および納入作業において作業漏れがないかを確認できるため、高品質の帳票受注納入サービスを実現できる。
【００５４】
さらに、本帳票受注納入システムでは、納入作業中に、納入用携帯端末が、未納入の納入場所の数を報知するため、作業者が、作業漏れを納入元に戻る前に発見し、その場で問題を速やかに解決できるという利点もある。
【００５５】
また、本帳票受注納入システムにあっては、帳票の識別情報及び納入場所の情報を示すバーコードを直接帳票に印刷するため、製品にラベルやタグを付すよりも低コストで実現できるという利点がある。
【００５６】
なお、本発明における帳票受注納入システムは、上記実施例の形態に限らず本発明の要旨を逸脱しない範囲内において種々変更を加えることができる。例えば、仕分用携帯端末１２と納入用携帯端末１３は、仕分作業・納入作業兼用のプログラムを記憶させれば、同じ携帯端末を共用することができる。
【００５７】
また、本発明において、仕分用区画具１０や納入用具１１は、帳票を分別して収納可能なものであれば棚状には限定されない。例えば、箱状のものでもよい。
【００５８】
また、上記実施例においては、図３に示すように、納入用携帯端末１３の表示画面に、未納入の納入場所の数を直接的に表示しているが、例えば、当該配送便で納入する納入場所の数と納入済の納入場所の数とを表示画面に表示することによって、未納入の納入場所の数を間接的に表示することも可能であり、かかる形態も本発明に含まれる。
【００５９】
また、仕分実績データや納入実績データも実施例の形態に限定されず、種々変更することが可能である。例えば、上記実施例においては、帳票２８を納入した納入場所の識別番号に納入済みフラグを付加した情報を納入実績データとして記憶しているが、予め記憶した納入場所の一覧データに消し込みのフラグを立てたものを納入実績データとすることも可能である。
【図面の簡単な説明】
【００６０】
【図１】実施例の帳票受注納入システムの概略図である。
【図２】仕分処理における仕分用携帯端末１２の表示画面の例を示す説明図である。
【図３】納入処理における納入用携帯端末１３の表示画面の例を示す説明図である。
【符号の説明】
【００６１】
１  納入元
２  納入先
３  通信回線
６  プリントサーバ
７  プリンタ
８  実績管理サーバ
１０  仕分用区画具
１１  納入用具
１２  仕分用携帯端末
１３  納入用携帯端末
１５  端末
１７  仕分場所
１８  仕分場所識別用バーコード（仕分場所識別用光学コード）
２０  納入場所
２１  納入場所識別用バーコード（納入場所識別用光学コード）
２７  印刷済帳票
２８  仕分済帳票
２９  仕分用バーコード（仕分用光学コード）
【図１】
0005090099.tif 000002
【図２】
0005090099.tif 000003
【図３】
0005090099.tif 000004